(57)【要約】ピクチャを続いて表示するための電気泳動ディスプレイパネル（１）は複数のピクチャ要素（２）と駆動手段（１００）とを有する。駆動手段（１００）はピクチャパルスを各々のピクチャ要素（２）に印加することができる。各々のピクチャパルスは、電位差パルスのシーケンスであり、粒子（６）の位置を実質的に変えることなく、粒子（６）が電位差に応答する能力を向上させるための応答増加パルスと、それぞれのピクチャを表示するための位置の１つに粒子（６）を移動させるための駆動パルスとを有する。少なくとも複数のピクチャ要素（２）に関して、前記複数のピクチャ要素からの各々のピクチャ要素（２）に対して、ディスプレイパネル（１）は、低減された画像残像が低減され、リセットパルスを用いる方法の場合より視覚的に乱される影響が低減され、そして短いパルスを用いる方法の場合よりピクチャ更新時間が短いように、ディスプレイパネル（１００）は、ピクチャ要素（２）における帯電の蓄積に関する情報を与えるための平均化手段を有し、その帯電の蓄積は応答増加パルスに先行するピクチャパルスからもたらされ、駆動手段はピクチャ要素（２）における不所望の帯電の蓄積を低減するように、応答増加パルスの時間平均をその情報に基づいて選択するように更に備えられている。
2007507740.tif 000002
【特許請求の範囲】
【請求項１】
ピクチャを続いて表示するための電気泳動ディスプレイパネルであって：
複数のピクチャ要素であって、各々のピクチャ要素は電位差を受けるために２つの電極を有し、帯電した粒子は前記２つの電極間の位置を占めることができる、複数のピクチャ要素；並びに
ピクチャパルスを各々のピクチャ要素に印加することができる駆動手段であって、各々のピクチャパルスは、
前記粒子の位置を実質的に変えることなく、前記電位差に応答する前記粒子の能力を向上させるための応答増加パルスと、
それぞれのピクチャを表示するために位置の一に粒子を移動させるための駆動パルスと、
を有する、電位差パルスのシーケンスである、駆動手段；
を有する電気泳動ディスプレイパネルであり、少なくとも複数の前記ピクチャ要素に関して、前記複数の前記ピクチャ要素からの各々のピクチャ要素について、
前記ディスプレイパネルは、前記ピクチャ要素における帯電の蓄積に関する情報を与えるために平均化手段を更に有し、その帯電の蓄積は前記応答増加パルスに先行するピクチャパルスからもたらされ；そして
前記駆動手段は、前記情報に基づいて、前記ピクチャ要素における不所望の帯電の蓄積を低減するために前記応答増加パルスの時間平均を選択するように更に備えられている；
ことを特徴とする電気泳動ディスプレイパネル。
【請求項２】
請求項１に記載の電気泳動ディスプレイパネルであって：
前記応答増加パルスは応答増加値と関連応答増加持続時間とを有し、前記応答増加値と前記関連応答増加持続時間との積は応答増加エネルギーを表し；
前記駆動パルスは駆動値と関連駆動持続時間とを有し、前記駆動値と前記関連駆動持続時間との積は駆動エネルギーを表し；
前記平均化手段は、前記応答増加パルスに先行する前記ピクチャパルスの前記駆動エネルギーと前記応答増加エネルギーを表すデータを受け、ランニング合計を与えることができ；
前記駆動手段は、前記ランニング合計の大きさが減少されるように前記応答増加パルスの前記時間平均を選択するように更に備えられている；
ことを特徴とする電気泳動ディスプレイパネル。
【請求項３】
請求項２に記載の電気泳動ディスプレイパネルであって：
前記平均化手段は、前記応答増加パルスに先行する前記ピクチャパルスから最後のピクチャパルスの前記駆動エネルギーと前記応答増加エネルギーを表すデータを受けることができ、前記ランニング合計は前記の最後のピクチャパルスの前記駆動エネルギーと前記応答増加エネルギーの和に等しく；
駆動手段は、
前記ランニング合計の符号と逆である前記応答増加パルスの前記時間平均の符号、及び
前記のランニング合計の大きさより小さい又はその大きさに等しい前記応答増加パルスの前記時間平均と前記応答増加持続時間との積の大きさ、
を選択するように更に備えられている；
ことを特徴とする電気泳動ディスプレイパネル。
【請求項４】
請求項３に記載の電気泳動ディスプレイパネルであって、前記応答増加持続時間と前記応答増加パルスの前記時間平均との前記積の前記大きさは前記ランニング合計の前記大きさに実質的に等しい、ことを特徴とする電気泳動ディスプレイパネル。
【請求項５】
請求項２に記載の電気泳動ディスプレイパネルであって、前記応答増加パルスは、実質的に０である関連時間平均を有する交流部分と直流部分との和である、ことを特徴とする電気泳動ディスプレイパネル。
【請求項６】
請求項５に記載の電気泳動ディスプレイパネルであって、前記直流部分は一定値に等しい、ことを特徴とする電気泳動ディスプレイパネル。
【請求項７】
請求項５に記載の電気泳動ディスプレイパネルであって、前記直流部分の大きさは時間の減少関数である、ことを特徴とする電気泳動ディスプレイパネル。
【請求項８】
請求項７に記載の電気泳動ディスプレイパネルであって、前記減少関数は実質的に線形である、ことを特徴とする電気泳動ディスプレイパネル。
【請求項９】
請求項５乃至８の何れ一項に記載の電気泳動ディスプレイパネルであって、前記交流部分は一定の振幅を有する時間の周期関数である、ことを特徴とする電気泳動ディスプレイパネル。
【請求項１０】
請求項５乃至９の何れ一項に記載の電気泳動ディスプレイパネルであって、前記交流部分は時間の経過につれて段階的に減少する振幅を有する時間の周期関数である、ことを特徴とする電気泳動ディスプレイパネル。
【請求項１１】
請求項５乃至８の何れ一項に記載の電気泳動ディスプレイパネルであって、前記交流部分は一連の副交流パルスの対であり、各々の対の２つのメンバーは反対の極性と実質的に等しい持続時間とを有する電位差値を有し、前記の一連の対の前記持続時間は前記の一連の対の順番の段階的減少関数である、ことを特徴とする電気泳動ディスプレイパネル。
【請求項１２】
請求項１に記載の電気泳動ディスプレイパネルであって、各々のピクチャ要素は複数の前記ピクチャ要素の１つである、ことを特徴とする電気泳動ディスプレイパネル。
【請求項１３】
請求項１に記載のディスプレイパネルを有することを特徴とするディスプレイ装置。
【発明の詳細な説明】
【技術分野】
【０００１】
本発明は、ピクチャを続いて表示するための電気泳動ディスプレイパネルであって、
−  複数のピクチャ要素であって、各々のピクチャ要素は電位差を受けるために２つの電極を有し、帯電した粒子はそれらの電極間の位置を占めることができる、複数のピクチャ要素と、
−  ピクチャパルスを各々のピクチャ要素に印加することができる駆動手段であって、各々のピクチャパルスは、
粒子の位置を実質的に変えることなく、粒子が電位差に応答する能力を向上させるための応答増加パルス、及び
それぞれのピクチャを表示するために位置の一に粒子を移動させるための駆動パルス、
を有する、電位差パルスのシーケンスである、駆動手段と、
を有する電気泳動ディスプレイパネルに関する。
【背景技術】
【０００２】
冒頭の段落で説明した種類の電気泳動ディスプレイパネルの実施形態については、予備公開されていない欧州特許第０２０７７０１７．８号明細書に記載されている。
【０００３】
電気泳動ディスプレイパネルは、一般に、電極間の電場の影響下にある、帯電され、通常は着色された粒子の動きに基づいている。そのようなディスプレイパネルを用いると、黒っぽい又は着色された文字が、白っぽい又は着色されたバックグラウンドを伴って画像化され、その逆も可能である。電気泳動ディスプレイパネルは、それ故、例えば、電子新聞及び電子日記等の“ペーパーホワイト”と呼ばれているペーパーの機能を採用したディスプレイ装置において特に用いられている。ピクチャ要素は、ピクチャの表示の間、電極間の帯電粒子の位置により決定される外観を有する。
【０００４】
上記の電気泳動ディスプレイパネルは、２０ｍｓｅｃの持続時間を有する各々のパルスを有する＋１５Ｖ及び−１５Ｖの交流極性の電位差値を有する、例えば、一連の１２個のパルスを有する応答増加パルスを示す。続いて、例えば、１５Ｖの電位差値及び１００ｍｓｅｃの持続維持間を有する駆動パルスは、ピクチャを表示するための位置の一に粒子を移動させる。
【０００５】
絶縁層が電極間に存在し、その絶縁層は電位差の結果として帯電されるようになる。続くピクチャ間のピクチャ要素の外観を変化させることによりもたらされる残留直流電圧のこのような構築は、特に外観における複数の変化の復号化の後に、重大な画像残像をもたらし、そしてディスプレイパネルの寿命を短くする。
【０００６】
画像残像を低減する既知の方法は、ピクチャ更新中、ピクチャ要素全てに印加されるリセットパルスを用いる。リセットパルスは、先行するピクチャパルスの極性と同じ極性を有し、表示される画像が完全に白色又は黒色になるようにする。その結果、それらのリセットパルスは、ディスプレイパネルが黒色と白色との間でフラッシュされるために、表示品質が著しく低下する。
【０００７】
予備公開されていない欧州特許第０３１００５７５．４号明細書においては、ピクチャ更新の後、各々のピクチャ要素に短いパルスが印加された構成であって、その短いパルスは先行するピクチャパルスの極性に対して逆の極性を有し、粒子の位置を実質的に変化させるには不十分であるエネルギーを有する、構成について開示している。その結果、ピクチャ要素における不所望の電荷の蓄積は減少され、リセットパルスを用いる上記の方法に比べて視覚的に乱す影響を低減させ、画像残像が低減される。しかしながら、短いパルスはピクチャ更新時間を増加させる。
【特許文献１】欧州特許第０２０７７０１７．８号明細書
【特許文献２】欧州特許第０３１００５７５．４号明細書
【発明の開示】
【発明が解決しようとする課題】
【０００８】
本発明の目的は、画像残像の低減を伴う冒頭の段落で説明した種類のディスプレイパネル、リセットパルスを用いて上記方法に比べて低減された視覚的に乱される影響、及び短いパルスを用いて上記方法に比べて短いピクチャ更新時間を提供することである。
【課題を解決するための手段】
【０００９】
この目的は、従って、少なくとも複数のピクチャ要素に関して、前記複数のピクチャ要素からの各々のピクチャ要素に対して、
−  ディスプレイパネルは、ピクチャ要素における帯電の蓄積に関連する情報を与えるための平均化手段を更に有し、その帯電の蓄積は応答増加パルスに先行するピクチャパルスからもたらされ、そして
−  駆動手段は、その情報に基づいて、ピクチャ要素における不所望の帯電の蓄積を低減するために応答増加パルスの時間平均を選択するように更に備えられている、
ことにより達成される。
【００１０】
前記数の各々のピクチャ要素の応答増加パルスの時間平均は、ピクチャ要素における不所望の帯電の蓄積の低減をもたらし、それにより、ピクチャ更新時間の増加を伴わずに画像残像を低減する。更に、応答増加パルスは、粒子の位置を実質的に変えずに粒子が電位差に応答する能力を向上させ、それにより、リセットパルスを用いて、上記方法に比べて視覚的に乱す影響を低減される。
【００１１】
実施形態においては、
−  応答増加パルスは応答増加値及び関連応答増加持続時間を有し、それらの積は応答増加エネルギーを表し、
−  駆動パルスは駆動値及び関連駆動持続時間を有し、それらの積は駆動エネルギーを表し、
−  平均化手段は、前記応答増加パルスに先行するピクチャパルスの駆動エネルギー及び応答増加エネルギーを表すデータを受け、ランニング合計を与えることができ、
−  駆動手段は、前記ランニング合計の大きさが減少されるように、応答増加パルスの時間平均を選択するように更に備えられている。
【００１２】
実施形態の変形においては、
−  平均化手段は、前記応答増加パルスに先行するピクチャパルスから最後のピクチャパルスの駆動エネルギー及び応答増加エネルギーを表すデータを受けることができ、ランニング合計は最後のピクチャパルスの駆動エネルギー及び応答増加エネルギーの合計に等しく、
−  駆動手段は、
ランニング合計の符号と逆である応答増加パルスの時間平均の符号と、
ランニング合計の大きさより小さいか又はその大きさに等しいように応答増加パルスの時間平均及び応答増加持続時間の積の大きさと、
を選択するように更に備えられている。それ故、応答増加パルスは、最後のピクチャパルスにより絶縁体の帯電の少なくとも一部を元に戻すことができる。更に、応答増加パルスの時間平均と応答増加持続時間との積の大きさがランニング合計の大きさに実質的に等しい場合、応答増加パルスは、最後のピクチャパルスにより絶縁体の帯電を実質的に元に戻すことができる。それ故、前記数の各々のピクチャ要素はピクチャ更新毎に直流安定化されることができる。
【００１３】
実施形態の他の変形においては、応答増加パルスは、実質的に０である関連時間平均を有する交流部分と直流部分との和である。それ故、応答増加パルスは、駆動手段により比較的容易に生成されることができる。直流部分が一定値に等しい場合、応答増加パルスの直流部分は非常に簡単に生成されることができる。直流部分の大きさが時間の減少関数である場合、応答増加パルスの印加の間の粒子の位置の変化の大きさは低減され、その結果、視覚的に乱される影響は小さくなる。それ故、その関数が実質的に線形である場合には好ましい。駆動スキームは、それ故、駆動手段において比較的容易に実施されることができる。
【００１４】
交流部分が一定の振幅を有する時間の周期関数である場合、応答増加パルスの交流部分は駆動手段により比較的容易に生成されることができる。実施例としては、正弦又は余弦関数、並びに、例えば、２０ｍｓｅｃの持続時間を有する各々のパルスを有する＋１５Ｖ及び−１５Ｖの交流極性の電位差値を有する、例えば、一連の１０個のパルスである。交流部分が時間の経過と共に段階的に減少する振幅を有する時間の周期関数である場合、応答増加パルスの印加中の粒子の位置の変化の大きさは減少され、その結果、視覚的に乱される影響は低減される。実施例としては、例えば、２０ｍｓｅｃの持続時間を有する各々のパルスを有する１５Ｖ、−１５Ｖ、１０Ｖ、−１０Ｖ、５Ｖ及び５Ｖの電位差値を有する、一連の６個のパルスがある。
【００１５】
交流部分が副交流パルスの一連の対である場合であって、各々の対の２つのメンバーが実質的に等しい持続時間及び逆の極性の電位差値を有し、一連の対の持続時間が一連の対の順番の段階的減少関数である場合、応答増加パルスの印加の間、粒子の位置の変化の大きさは減少され、その結果、視覚的に乱される影響は低減される。実施例としては、例えば、２０、２０、１０、１０、５、５ｍｓｅｃの連続する持続時間を有する一連のパルスを有する１５、−１５、１５、−１５、１５、−１５Ｖの電位差値を有する、一連の６個のパルスがある。
【００１６】
前記複数のピクチャ要素からの各々のピクチャ要素に対して、ピクチャパルスが応答増加パルスと駆動パルスとの間にリセットパルスを有する場合であって、リセットパルスが極端位置の位置に粒子を移動させることができ、リセットパルスが、それらの現位置から極端位置の一に粒子の位置を変化させるエネルギーを表す基準エネルギーと少なくとも同程度であるエネルギーを表す場合は好ましい。それ故、粒子の位置についての電位差の履歴依存性は低減され、ピクチャ更新はより適切である。更に、各々のリセットパルスのエネルギーが基準エネルギーより実質的に大きい場合は好ましい。それ故、画像更新は更に適切になる。そのようなリセット電位差については、予備公開されていない欧州特許第０３１００１３３．２号明細書に記載されている。各々のリセットパルスが、それぞれのピクチャを表示するために粒子の位置に最も近い極端位置に粒子を移動させることができる場合は又、好ましい。それ故、観測者は、ピクチャ毎の予測により比較的スムーズな遷移を知覚することができる。前記複数のピクチャ要素からの各々のピクチャ要素に対して、ピクチャパルスが、リセットパルスと駆動パルスとの間に更なる応答増加パルスを有する場合は更に好ましい。そのような更なる応答増加パルスの結果として、ピクチャ更新は更に適切になる。
【００１７】
他の実施形態においては、応答増加パルスは時間同調されている。
【００１８】
他の実施形態においては、ディスプレイパネルはアクティブマトリクスディスプレイパネルである。
【００１９】
各々の上記実施形態においては、各々のピクチャ要素は複数のピクチャ要素の１つである場合は好ましい。
【００２０】
実施形態においては、ディスプレイパネルはディスプレイ装置の一部である。
【００２１】
本発明の上記の及び他の特徴について、以下、図面を参照して詳述する。
【発明を実施するための最良の形態】
【００２２】
図１及び２は、第１基板８、透明な対向している第２基板９及び複数のピクチャ要素２を有するディスプレイパネルの実施例を示している。好適には、ピクチャ要素２は二次元構造において実質的には直線に沿って配列されている。ピクチャ要素２の他の代替の可能な配列は、例えば、ハニカム配列である。アクティブマトリクスの実施形態においては、ピクチャ要素２は、例えば、薄膜トランジスタ（ＴＦＴ）、ダイオード又はＭＩＭ素子を有するスイッチング要素を更に有することが可能である。
【００２３】
流体中に帯電粒子６を有する電気泳動媒体５は基板８及び９の間に存在する。第１電極３及び第２電極４は電位差を受けるために各々のピクチャ要素に関連付けられている。図２において、第１基板８は各々のピクチャ要素２のために第１電極３を有し、第２基板９は各々のピクチャ要素のために第２電極４を有する。帯電粒子６は、電極３、４の近傍の極端位置及びそれらの電極３、４の間の中間的位置の一である位置を占めることが可能である。各々のピクチャ要素２は、電極３、４間の帯電粒子６の位置により決定される外観を有する。電気泳動媒体５自体については、米国特許第５，９６１，８０４号明細書、米国特許第６，１２０，８３９号明細書及び米国特許第６，１３０，７７４号明細書に記載されていて、ＥＩｎｋ社製のものが入手可能である。例として、電気泳動媒体５は、白色流体中に負に帯電した黒色粒子を有する。それらの帯電した粒子６が第１極端位置、即ち、第１電極３近傍にあるとき、例えば、１５Ｖである電位差の結果として、ピクチャ要素２の外観は、例えば、白色である。ここで、ピクチャ要素２が第２基板９の側から観測しているとみなされる。帯電粒子６が第２極端位置、即ち、第２電極４近傍にあるとき、反対の電位差、即ち、−１５Ｖである電位差の結果として、画素２の外観は、例えば、黒色である。帯電粒子６が中間位置の色、即ち、電極３、４間にあるとき、電位差が逆の電位差、即ち、−１５Ｖである結果として、ピクチャ要素２の外観は黒色である。帯電粒子６が中間的位置の状態にある、即ち、電極３、４間にあるとき、ピクチャ要素２は中間的外観の状態、例えば、白色と黒色との間の階調である薄い灰色、中間的な灰色及び濃い灰色を有する。駆動手段１００は、ピクチャパルスを各々のピクチャ要素２に印加することができる。各々のピクチャパルスは電位差パルスのシーケンスであり、粒子６の位置が実質的に変化することなく電位差に粒子が応答する能力を増加させるための応答増加パルスと、それぞれのピクチャを表示するための位置の１つに粒子６を移動させるための駆動パルスとを有する。応答変化パルスは、例えば、シェーキングパルスであって、そのシェーキングパルスは、プリセット値と関連プリセット持続時間とを有するプリセット電位差のシーケンスである。そのシーケンスにおけるプリセット値は符号が交互に変わり、各々のプリセット電位差は、それらの位置から極端位置の一に存在する粒子６を開放するに十分であるが、極端位置の他の一に前記粒子が達するには不十分であるプリセットエネルギーを表す。更に、少なくともピクチャ要素２の数に関して、前記複数のピクチャ要素からの各々のピクチャ要素２に対して、ディスプレイパネル１は、ピクチャ要素２における電荷の蓄積に関する情報を供給するための平均化手段２００を更に有し、その電荷の蓄積は応答増加パルスに先行するピクチャパルスからもたらされる結果であり、駆動手段１００は、ピクチャ要素６における不所望の電荷蓄積を低減させるために、情報に基づいて、応答増加パルスの時間平均を選択するように更に備えられている。
【００２４】
実施形態においては、応答増加パルスは、応答増加値と関連応答増加持続時間を有し、それらの積は応答増加エネルギーを表し、駆動パルスは駆動値と関連駆動持続時間を有し、それらの積は駆動エネルギーを表し、平均化手段２００は前記応答増加パルスに先行するピクチャパルスの駆動エネルギーと応答増加エネルギーを表すデータを受け、ランニング合計を与え、そして、駆動手段１００は、前記ランニング合計の大きさが減少されるような応答増加パルスの時間平均を選択するように更に備えられている。平均化手段２００は、前記応答増加エネルギーに先行するピクチャパルスの駆動エネルギー及び応答増加エネルギーを表すデータ１９９を受け、ランニング合計２０１を与える。駆動手段１００は、前記ランニング合計２０１が減少されるような応答増加パルスの時間平均２０３を選択するようにランニング合計２０１を用いる。
【００２５】
図４は、時間の関数としての前記複数のピクチャ要素からのピクチャ要素２の幾つかのピクチャパルスの例を示している。ピクチャパルスの印加前、ピクチャ要素２の外観は、例えば、黒色であり、Ｂで示される。更に、ランニング合計２０１は０であるとみなされる。それ故、第１応答増加パルスの時間平均は０である。第１応答増加パルスは、例えば、値１５Ｖ及び−１５Ｖを実質的に有し、時間ｔ１からｔ２まで印加される２つの電位差のシーケンスである。各々の値は、例えば、１０ｍｓｅｃの間、印加される。応答増加エネルギーは０、即ち、１５＊０．０１０-１５＊０．０１０である。応答増加パルスの結果として、粒子６が電位差に応答する能力は増加し、粒子６の位置は実質的に変わらない。続いて、第１駆動パルスは、１５Ｖの駆動電圧と関連駆動持続時間４０ｍｓｅｃを有する時間ｔ３からｔ４まで存在する。駆動エネルギーは０．６０Ｖ・ｓｅｃである。その結果、ピクチャ要素２の外観は濃い灰色であり、ＤＧで表される。ｔ２とｔ３との間の時間インターバルは小さく、それは０であることさえ可能である。
【００２６】
続いて、ピクチャは更新される。平均化手段２００は、０である第１応答増加エネルギーと、０．６０Ｖ・ｓｅｃである第１ピクチャパルスの第１駆動エネルギーとを受け、０．６０Ｖ・ｓｅｃであるランニング合計２０１を与える。駆動手段１００は、ランニング合計２０１の大きさが減少するような第２応答増加パルスの時間平均２０３を選択するようにランニング合計２０１を用いる。この実施例においては、第２応答増加パルスのエネルギーは−０．０２Ｖ・ｓｅｃせあるように選択される。第２応答増加パルスは、例えば、−１５Ｖと１４Ｖの値を実質的に有する４つの電位差のシーケンスであり、時間ｔ５からｔ６まで印加される。各々の値は、例えば、１０ｍｓｅｃの間、印加される。応答増加エネルギーは−０．０２Ｖ・ｓｅｃ、即ち、２＊１４＊０．０１０-２＊１５＊０．０１０である。その結果、ピクチャ６における不所望の電荷蓄積は低減される。
【００２７】
続いて、第２駆動パルスは、１５Ｖの駆動値と関連駆動持続時間４０ｍｓｅｃとを有する時間ｔ７からｔ８まで存在する。駆動エネルギーは０．６０Ｖ・ｓｅｃである。その結果、ピクチャ要素２の外観は中間的な階調であり、ＭＧで表される。
【００２８】
続いて、ピクチャは再び、更新される。平均化手段２００は、第１及び第２応答増加エネルギーと第１及び第２駆動エネルギーとを受け、１．１８Ｖ・ｓｅｃであるランニング合計２０１を与える。駆動手段１００は、ランニング合計の大きさが減少するように第３応答増加パルスの時間平均２０３を選択するようにランニング合計を用いる、等である。
【００２９】
実施形態の変形においては、平均化手段２００は、前記応答増加パルスに先行するピクチャパルスから最後のピクチャパルス及び応答増加エネルギーを表すデータを受けることができ、ランニング合計は、最後のピクチャパルスの駆動エネルギー及び応答増加エネルギーの合計に等しい。更に、駆動手段は、応答増加パルスの時間平均の符号がランニング合計の符号に対して逆であるように、そして、応答増加持続時間と応答増加パルスの時間平均との積の大きさがランニング合計の大きさより小さい又はそれに等しいように選択するように更に備えられている。図４の実施例において、ｔ８の後に続く第３ピクチャ更新を考慮する。平均化手段２００は、ここでは、第２応答増加エネルギー及び第２駆動エネルギーのみをピクチャ更新の前に受け、０．５８Ｖ・ｓｅｃであるランニング合計２０１を与える。駆動手段２００は、ランニング合計２０１の大きさが減少するように第３応答増加パルスの時間平均２０３を選択するようにランニング合計２０１を用いる。
【００３０】
更に、応答増加持続時間と応答増加パルスの時間平均との積の大きさがランニング合計の大きさと実質的に等しい場合に、それは好適である。図４の実施例において、ｔ４の後に続く第２ピクチャ更新を考慮する。平均化手段２００は、ここでは、第１応答増加エネルギー及び第１駆動エネルギーをピクチャ更新の前に受け、０．６０Ｖ・ｓｅｃであるランニング合計２０１を与える。第２応答増加パルスのエネルギーは−０．６０Ｖ・ｓｅｃである。第２応答増加パルスは、例えば、実質的に−１５Ｖと１４Ｖとを有する１２０個の電位差のシーケンスである。各々の値は、１０ｍｓｅｃの間、印加される。その結果、第１ピクチャパルスによる絶縁体における帯電は実質的に起こらない。
【００３１】
他の実施形態においては、応答増加パルスは実質的に０である関連時間平均を有する交流部分と直流部分との合計である。前記複数のピクチャ要素からのピクチャ要素２の応答増加パルスの交流部分の実施例について、図５Ａ乃至５Ｃに時間の関数として示している。時間ｔａからｔｂまで印加される応答増加パルスの交流部分は、例えば、一定の振幅を有する時間の周期関数である。実施例としては、正弦又は余弦関数、若しくは、１０ｍｓｅｃの持続時間を有する各々のパルスを有する＋１５Ｖ及び−１５Ｖの交流極性の電位差値を有する、例えば、一連の６個のパルスがあり、図５Ａを参照されたい。交流部分の他の実施例は、時間の経過と共に段階的に減少する振幅を有する時間の周期関数である。実施例としては、例えば、１０ｍｓｅｃの持続時間を有する各々のパルスを有する１５Ｖ、−１５Ｖ、１０Ｖ、−１０Ｖ、５Ｖ及び５Ｖの電位差値を有する、一連の６個のパルスがあり、図５Ｂを参照されたい。交流部分の他の実施例としては、一連の副交流パルスの対があり、各々の対のそれらの２つのメンバーは逆極性及び実質的に等しい持続時間の電位差値を有し、一連の対の持続時間は一連の対の順番の段階的に減少する関数である。実施例としては、例えば、２０、２０、１０、１０、５、５ｍｓｅｃの連続する持続時間を有する一連のパルスを有する１５、−１５、１５、−１５、１５、−１５Ｖの電位差値を有する、一連の６個のパルスがあり、図５Ｃを参照されたい。
【００３２】
前記複数のピクチャ要素からのピクチャ要素２の応答増加パルスの直流部分の実施例が、図６に時間の関数として示されている。時間ｔａからｔｂまで印加される応答増加パルスの直流部分は、例えば、一定値に等しく、図６のラベルａを参照されたく、時間の減少関数であり、図６のラベルｂを参照されたく、又、時間の実質的に線形な減少関数であり、図６のラベルｃを参照されたい。
【００３３】
前記複数のピクチャ要素からの各々のピクチャ要素２についての他の実施形態において、ピクチャパルスは、応答増加パルスと駆動パルスとの間のリセットパルスを有し、そのリセットパルスは粒子６を極端位置の１つに移動させることができ、それらの極端位置は電極３、４の近傍の位置であり、リセットパルスは、それら粒子の存在する位置から極端位置の一に粒子６の位置を変化させるためのエネルギーを表す基準エネルギーと少なくとも同程度の大きさであるエネルギーを示す。各々のリセットパルスのエネルギーが基準エネルギーより実質的に大きい場合は好ましい。更に、各々のリセットパルスは、ピクチャを表示するために粒子６の位置に最も近い極端位置に粒子６を移動させることができる。更に、前記複数のピクチャ要素からの各々のピクチャ要素２に対して、ピクチャパルスは、リセットパルスと駆動パルスとの間の更なる応答増加パルスを有する。実施例においては、前記複数のピクチャ要素からのピクチャ要素２のピクチャパルスは時間の関数として、図７に示している。時間ｔ０において、ランニング合計２０１は、例えば、０．２０Ｖ＊ｓｅｃであり、ピクチャ要素の外観は中間的灰色である。応答増加パルスは、例えば、−１５Ｖ及び１４Ｖを実質的に有し、時間ｔ０から時間ｔ１まで印加される４つの電位差のシーケンスである。各々の値は、例えば、１０ｍｓｅｃの間、印加される。応答増加エネルギーは−０．０２Ｖ・ｓｅｃである。その結果、ピクチャ要素６における不所望の電荷蓄積は低減される。続いて、リセットパルスは、例えば、−１５Ｖの値と、例えば、３００ｍｓｅｃに等しい関連持続時間とを有し、ｔ２からｔ３まで存在する。その結果、リセットパルスのエネルギーは基準エネルギーより実質的に長く、例えば、約２００ｍｓｅｃであるため、ピクチャ要素２の外観は黒色である。ｔ１とｔ２との間の時間インターバルは短く、それは０であることさえ可能である。続いて、例えば、値、１５Ｖ、−１５Ｖ、１５Ｖ、−１５Ｖ、１５Ｖ及び−１５Ｖを連続して有する６個の電位差である更なる応答増加パルスが時間ｔ４からｔ５まで印加される。各々の値は、例えば、１０ｍｓｅｃの間、印加される。ｔ３とｔ４との間の時間インターバルは短く、それは０であることさえ可能である。続いて、１５Ｖの値及び４０ｍｓｅｃの関連持続時間を有する駆動パルスが、時間ｔ６から時間ｔ７まで存在する。その結果、ピクチャ要素２の外観は濃い灰色である。時間ｔ５とｔ６との間の時間インターバルは短く、それは０であることさえ可能である。
【００３４】
他の実施形態においては、応答増加パルスはハードウェアシェーキングと時間同調される。
【図面の簡単な説明】
【００３５】
【図１】ディスプレイパネルの実施形態の正面図である。
【図２】図１におけるＩＩ−ＩＩにおける断面図である。
【図３】実施形態の要素の模式的ブロック図である。
【図４】その実施形態における前記複数のピクチャ要素からのピクチャ要素に対して時間の関数としてピクチャパルスを示す図である。
【図５Ａ】前記複数のピクチャ要素からのピクチャ要素の応答増加パルスの時間の関数としての交流部分を示す図である。
【図５Ｂ】前記複数のピクチャ要素からのピクチャ要素の応答増加パルスの時間の関数としての他の交流部分を示す図である。
【図５Ｃ】前記複数のピクチャ要素からのピクチャ要素の応答増加パルスの時間の関数としての他の交流部分を示す図である。
【図６】前記複数のピクチャ要素からのピクチャ要素の応答増加パルスの時間の関数としての他の直流部分の３つの実施例を示す図である。
【図７】他の実施形態における前記複数のピクチャ要素からのピクチャ要素の応答増加パルスの時間の関数としてのピクチャパルスを示す図である。
【図１】
2007507740.tif 000003
【図２】
2007507740.tif 000004
【図３】
2007507740.tif 000005
【図４】
2007507740.tif 000006
【図５Ａ】
2007507740.tif 000007
【図５Ｂ】
2007507740.tif 000008
【図５Ｃ】
2007507740.tif 000009
【図６】
2007507740.tif 000010
【図７】
2007507740.tif 000011
【国際調査報告】
2007507740.tif 000012
2007507740.tif 000013